(57)【要約】【課題】オットマンの利便性を向上させることができるマッサージ機を提供する。【解決手段】オットマン１４には、一面側に使用者の脚部を挿入配置可能な脚部用凹部１４ａと、使用者の足部を足裏から支持可能な足部用凹部１４ｂとが備えられ、脚部用凹部１４ａ及び足部用凹部１４ｂの両方にエアバッグが設けられ、他面側に使用者の脚部を載置可能な脚載部１４ｃが備えられる。そしてオットマン１４は、座部１２側に設けた支持枠１６に対して左右方向に延びる態様で設けられる回転支軸１６ｂにて回転可能に支持され、オットマン１４を回転させることで各凹部１４ａ，１４ｂを座部１２前方に露出させるマッサージ可能状態と、脚載部１４ｃを座部１２前方に露出させる脚載可能状態とに変更可能に構成される。オットマン１４には、オットマン１４をマッサージ可能状態に付勢する付勢手段として足部用凹部１４ｂに重心位置Ｇが設定されている。【選択図】図１
2011067354.tif 000002
【特許請求の範囲】
【請求項１】
使用者が着座可能な座部と、該座部の前部に使用者の脚部を載置可能なオットマンとを備え、前記オットマンにマッサージ手段を設けて前記使用者の脚をマッサージするマッサージ機であって、
前記オットマンは、
一面側に前記使用者の脚部を挿入配置可能な脚部用凹部と、前記使用者の足部を足裏から支持可能な足部用凹部とを有し、前記脚部用凹部及び前記足部用凹部の少なくとも一方に前記マッサージ手段が設けられ、他面側に前記使用者の脚部を載置可能な脚載部を有し、
前記座部側に設けた支持部に対して左右方向に延びる態様で設けられる回転支軸にて回転可能に支持され、前記オットマンを回転させることで前記各凹部を前記座部前方に露出させるマッサージ可能状態と、前記脚載部を前記座部前方に露出させる脚載可能状態とに変更可能に構成され、
前記オットマンを前記マッサージ可能状態及び前記脚載可能状態のいずれか一方に付勢する付勢手段を備えたことを特徴とするマッサージ機。
【請求項２】
請求項１に記載のマッサージ機において、
前記付勢手段は、前記オットマンの重心位置を回転中心からずらすことで前記マッサージ可能状態及び前記脚載可能状態のいずれか一方に付勢するように構成されたことを特徴とするマッサージ機。
【請求項３】
請求項２に記載のマッサージ機において、
前記付勢手段は、前記オットマンの重心位置が前記回転中心からずれた前記足部用凹部側に設定されて構成されたことを特徴とするマッサージ機。
【請求項４】
請求項１〜３のいずれか一項に記載のマッサージ機において、
前記オットマンには、前記マッサージ可能状態及び前記脚載可能状態の少なくとも一方において前記付勢手段による回転を阻止するロック機構が設けられたことを特徴とするマッサージ機。
【請求項５】
請求項４に記載のマッサージ機において、
前記ロック機構は、前記オットマンが前記脚載可能状態の際には、所定の遊びを有する態様で前記オットマンの回転を阻止させるように構成されたことを特徴とするマッサージ機。
【請求項６】
請求項１〜５のいずれか一項に記載のマッサージ機において、
前記脚部用凹部は、その底面から延出する複数の側壁を備え、
前記回転支軸は、前記脚部用凹部の前記底面よりも前記側壁の延出方向側に位置する態様で設けられたことを特徴とするマッサージ機。
【請求項７】
請求項１〜６のいずれか一項に記載のマッサージ機において、
前記オットマンを支持する前記支持部は、前記座部に対して回動可能に構成され、
前記オットマンは、前記マッサージ可能状態における前記オットマンの水平使用位置において、前記脚部用凹部の底面の前方側が後方側よりも低くなるとともに、前記脚載可能状態における前記オットマンの水平使用位置において、前記脚載部の脚載面の前方側が後方側よりも高くなるように構成されたことを特徴とするマッサージ機。
【発明の詳細な説明】
【技術分野】
【０００１】
本発明は、使用者の脚部をマッサージ可能なマッサージ機に関するものである。
【背景技術】
【０００２】
従来、使用者の着座可能な座部の前部に傾動可能なオットマンを配設し、そのオットマンに使用者の脚部をマッサージする脚部用マッサージ機構を内蔵したマッサージ機が知られている（例えば特許文献１参照）。
【０００３】
また、特許文献１のマッサージ機に備えられるオットマンでは、同文献の図３に示されるように使用者の脚部を独立して挿入配置可能な一対の脚部用凹部が設けられ、その凹部の側壁にエアバッグを内蔵させ、エアバッグの膨縮動作にて使用者の両脚それぞれを個別に挟んでマッサージすることが可能な構成とされている。
【先行技術文献】
【特許文献】
【０００４】
【特許文献１】特許第３５０８７７１号公報
【発明の概要】
【発明が解決しようとする課題】
【０００５】
ところで、上記のようなマッサージ機に備えられるオットマンでは、エアバッグにて使用者の脚部を挟み込む為には比較的大きなエアバッグを脚部用凹部の側壁に配設しなければならず、前記側壁が座部の前方に大きく迫り出す形状となる。このため、エアバッグによるマッサージを行わない場合において使用者がマッサージ機（座部）に着座する場合に、脚部用凹部の側壁側が障害となる。
【０００６】
また、近年のマッサージ機に備えられるオットマンでは、前記脚部用凹部に加え、使用者の足部を例えば足裏から支持可能な足部用凹部が前記脚部用凹部とは別体に設け、足部用凹部の側壁にエアバッグを備え、マッサージ効果の向上を図っている。しかしながら、脚部用凹部に加えて足部用凹部が設けられており、この足部用凹部の側壁等も着座する際の障害となってオットマンの利便性を向上させることが難しかった。
【０００７】
本発明は、上記課題を解決するためになされたものであって、その目的は、オットマンの利便性を向上させることができるマッサージ機を提供することにある。
【課題を解決するための手段】
【０００８】
上記課題を解決するために、請求項１に記載の発明は、使用者が着座可能な座部と、該座部の前部に使用者の脚部を載置可能なオットマンとを備え、前記オットマンにマッサージ手段を設けて前記使用者の脚をマッサージするマッサージ機であって、前記オットマンは、一面側に前記使用者の脚部を挿入配置可能な脚部用凹部と、前記使用者の足部を足裏から支持可能な足部用凹部とを有し、前記脚部用凹部及び前記足部用凹部の少なくとも一方に前記マッサージ手段が設けられ、他面側に前記使用者の脚部を載置可能な脚載部を有し、前記座部側に設けた支持部に対して左右方向に延びる態様で設けられる回転支軸にて回転可能に支持され、前記オットマンを回転させることで前記各凹部を前記座部前方に露出させるマッサージ可能状態と、前記脚載部を前記座部前方に露出させる脚載可能状態とに変更可能に構成され、前記オットマンを前記マッサージ可能状態及び前記脚載可能状態のいずれか一方に付勢する付勢手段を備えたことをその要旨とする。
【０００９】
この発明では、オットマンには、一面側に使用者の脚部を挿入配置可能な脚部用凹部と、使用者の足部を足裏から支持可能な足部用凹部とが備えられ、脚部用凹部及び足部用凹部の少なくとも一方にマッサージ手段が設けられ、他面側に使用者の脚部を載置可能な脚載部が備えられる。そしてオットマンは、座部側に設けた支持部に対して左右方向に延びる態様で設けられる回転支軸にて回転可能に支持され、オットマンを回転させることで各凹部を座部前方に露出させるマッサージ可能状態と、脚載部を座部前方に露出させる脚載可能状態とに変更可能に構成される。このように、オットマンが回転可能に構成され、マッサージ可能状態と脚載可能状態とに変更することができるため使用者の気分によってオットマンを使用することが可能となり、オットマンの利便性を向上させることができる。また、前記各凹部を露出しない、つまり各凹部を収納した脚載可能状態で着座することで、使用者が座部に容易に着座することが可能となり、オットマンの利便性を向上させることができる。また、オットマンには、オットマンをマッサージ可能状態及び脚載可能状態のいずれか一方に付勢する付勢手段が備えられる。ここで、例えばオットマンが脚載可能状態にある場合に付勢手段にてマッサージ可能状態に付勢することで、この付勢手段にてマッサージ可能状態となるまで回転させることが可能となり、この点においてもオットマンの利便性を向上させることが可能となる。
【００１０】
請求項２に記載の発明は、請求項１に記載のマッサージ機において、前記付勢手段は、前記オットマンの重心位置を回転中心からずらすことで前記マッサージ可能状態及び前記脚載可能状態のいずれか一方に付勢するように構成されたことをその要旨とする。
【００１１】
この発明では、付勢手段は、オットマンの重心位置を回転中心からずらすことでマッサージ可能状態及び脚載可能状態のいずれか一方に付勢するように構成される。つまり、ばね等の付勢部材を省略した簡素な構成にて付勢手段を構成することが可能となる。
【００１２】
請求項３に記載の発明は、請求項２に記載のマッサージ機において、前記付勢手段は、前記オットマンの重心位置が前記回転中心からずれた前記足部用凹部側に設定されて構成されたことをその要旨とする。
【００１３】
この発明では、付勢手段は、オットマンの重心位置が回転中心からずれた足部用凹部側に設定されて構成される。このため、重力方向下側に足部用凹部が位置するマッサージ可能状態にオットマンの自重で動作させることが可能となる。
【００１４】
請求項４に記載の発明は、請求項１〜３のいずれか一項に記載のマッサージ機において、前記オットマンには、その回転を前記マッサージ可能状態及び前記脚載可能状態の少なくとも一方において阻止させるロック機構が設けられたことをその要旨とする。
【００１５】
この発明では、オットマンには、マッサージ可能状態及び脚載可能状態の少なくとも一方において付勢手段による回転を阻止するロック機構が設けられる。このように、ロック機構を設けることでマッサージ可能状態及び脚載可能状態の少なくとも一方において付勢手段によるオットマンの回転を阻止させることができる。
【００１６】
請求項５に記載の発明は、請求項４に記載のマッサージ機において、前記ロック機構は、前記オットマンが前記脚載可能状態の際には、所定の遊びを有する態様で前記オットマンの回転を阻止させるように構成されたことをその要旨とする。
【００１７】
この発明では、ロック機構は、オットマンが脚載可能状態の際には、所定の遊びを有する態様でオットマンの回転を阻止させるように構成される。つまり、脚載可能状態において所定の遊びを有することで、使用者の脚の太さや長さに対応して好適な位置で使用することが可能となる。
【００１８】
請求項６に記載の発明は、請求項１〜５のいずれか一項に記載のマッサージ機において、前記脚部用凹部は、その底面から延出する複数の側壁を備え、前記回転支軸は、前記脚部用凹部の前記底面よりも前記側壁の延出方向側に位置する態様で設けられたことをその要旨とする。
【００１９】
この発明では、脚部用凹部にはその底面から延出する複数の側壁が備えられ、回転支軸は、脚部用凹部の底面よりも側壁の延出方向側に位置する態様で設けられる。このような構成とすることで、例えば回転支軸を前記底面よりも側壁の反延出方向側（脚載部側）に位置するように回転中心である回転支軸が位置した場合のオットマンと比較して、回転支軸と側壁の距離を近づけることができる。つまり、本構成では、オットマンの回転時に要する回転スペースを極力抑えつつ、側壁の面積を十分に確保することが可能となり、凹部に使用者の脚等を挿入した後に脚がずれて落ちたりすることを防ぐサポート性を向上させることができる。また、側壁に例えばマッサージ手段としてエアバッグを設ける構成とした場合に、側壁の面積を十分に確保することで大容量のエアバッグを用いてマッサージ範囲の拡大を図ることが可能となる。
【００２０】
請求項７に記載の発明は、請求項１〜６のいずれか一項に記載のマッサージ機において、前記オットマンを支持する前記支持部は、前記座部に対して回動可能に構成され、前記オットマンは、前記マッサージ可能状態における前記オットマンの水平使用位置において、前記脚部用凹部の底面の前方側が後方側よりも低くなるとともに、前記脚載可能状態における前記オットマンの水平使用位置において、前記脚載部の脚載面の前方側が後方側よりも高くなるように構成されたことをその要旨とする。
【００２１】
この発明では、オットマンを支持する支持部は、座部に対して回動可能に構成される。このため、支持部を回動することでオットマンを支持部とともに回動させることが可能となる。また、オットマンは、マッサージ可能状態におけるオットマンの水平使用位置において、脚部用凹部の底面の前方側が後方側よりも低くなるように構成される。このような構成とすることで使用者の足部側が低くなるため、使用者の脚部をマッサージした際に過度に血流を良くすることが抑えられる。更にオットマンは、脚載可能状態におけるオットマンの水平使用位置において、脚載部の脚載面の前方側が後方側よりも高くなるように構成される。このような構成とすることで、日常生活において重力方向下側となる足部（使用者の脚の先端側）を高くすることができるため、血流を良好とすることが可能となる。
【発明の効果】
【００２２】
本発明によれば、オットマンの利便性を向上させることができるマッサージ機を提供することができる。
【図面の簡単な説明】
【００２３】
【図１】本実施形態におけるマッサージ機の概略構成図である。
【図２】オットマンの脚載可能状態について説明するための説明図である。
【図３】オットマンの正面図である。
【図４】マッサージ可能状態におけるオットマンの傾動動作について説明するための説明図である。
【図５】脚載可能状態におけるオットマンの傾動動作について説明するための説明図である。
【図６】（ａ）（ｂ）（ｃ）（ｄ）は、ロック機構について説明するための説明図である。
【図７】（ａ）（ｂ）は、オットマンの回転中心位置について説明するための説明図である。
【図８】（ａ）（ｂ）は、別例におけるロック機構について説明するための説明図である。
【図９】別例におけるロック機構について説明するための説明図である。
【図１０】別例におけるオットマンについて説明するための説明図である。
【図１１】別例におけるオットマンについて説明するための説明図である。
【発明を実施するための形態】
【００２４】
以下、本発明を具体化した一実施形態を図面に従って説明する。
図１は、本実施形態のマッサージ機の概略構成を示す。マッサージ機１０の脚部１１は、図示しない床面に載置されるとともに、その上部には、使用者が着座可能な座部１２が設けられている。
【００２５】
座部１２には、その後部に背もたれ部１３が座部１２に対して傾動可能に設けられている。また、座部１２には、座部１２の後部側から前部側に延びる一対のフレーム１５（図１では１つのみ図示）の前端に、支持枠１６の基端が回動軸１６ａにて回動可能に接続されている。そして、この支持枠１６の先端には、座部１２の左右方向（図１において紙面直交方向）に延びる回転支軸１６ｂにて前記オットマン１４が回転可能に設けられている。ここで、脚部１１の内部にはスライド機構１７が設けられており、このスライド機構１７は、制御部１８により制御されるモータ１７ａと、モータ１７ａの回転駆動によって前後方向にスライドするスライド部材１７ｂによって構成されている。そして、このスライド部材１７ｂの先端がオットマン１４を支持する支持枠１６と当接するようになっている。このためスライド部材１７ｂがモータ１７ａの回転によって前後方向に動作することで支持枠１６を押してオットマン１４を傾動させるようになっている。
【００２６】
オットマン１４は、前記支持枠１６の先端側が接続されるとともに座部１２に着座した使用者の脚部（脹脛部）を挿入配置可能な脚部用凹部１４ａと、使用者の足部を載せて支持する足部用凹部１４ｂとを有している。また、脚部用凹部１４ａ及び足部用凹部１４ｂの裏面側には使用者の脚部を載置可能な略平面状の脚載面１９を有する脚載部１４ｃが設けられている。
【００２７】
脚部用凹部１４ａは、図３に示すように、底面２０の左右端部及び左右方向中央部から略同一方向に延出する３つの側壁２１ａ〜２１ｃの側壁対向面２２には、マッサージ手段としての２つのエアバッグ２３が設けられている。
【００２８】
足部用凹部１４ｂは、底面２５の左右端部及び左右方向中央部から略同一方向に延出する３つの側壁２６ａ〜２６ｃの側壁対向面２７には、マッサージ手段としてのエアバッグ２８が設けられている。また、足部用凹部１４ｂの底面２５には、足裏マッサージ手段としてのエアバッグ２９が設けられている。尚、足部用凹部１４ｂの側壁対向面２７に設けられるエアバッグ２８は、脚部用凹部１４ａの側壁対向面２２に設けられるエアバッグ２３より各対向面２２，２７の対向中心側に配置される。
【００２９】
また、本実施形態のマッサージ機１０では、オットマン１４を回転支軸１６ｂ中心に回転させることで、各凹部１４ａ，１４ｂの表面側に設けられるマッサージ手段としてのエアバッグ２３，２８，２９を本マッサージ機１０前面側に露出させて使用者をマッサージ可能なマッサージ可能状態（図１参照）と、裏面側の脚載部１４ｃ側を本マッサージ機１０前面側に露出させて使用者の脚部を配置可能な脚載可能状態（図２参照）とに変更が可能となっている。
【００３０】
また、図１に示すように本実施形態のオットマン１４には、オットマン１４の回転をマッサージ可能状態と及び脚載可能状態の２位置で阻止可能なロック機構３０が設けられている。
【００３１】
ロック機構３０は、支持枠１６側に設けられるロックピン３０ａと、回転支軸１６ｂと一体回転可能に構成されるロック板３０ｂとを備えている。ロックピン３０ａは、図６（ａ）に示すように支持枠１６に固定される固定部材３１内に支持枠１６の長手方向にスライド可能に構成されており、回動可能な解除レバー３２にてロックピン３０ａの状態が変更可能に構成されている。ロック板３０ｂには、所定位置に回転支軸１６ｂ側に凸となる第１溝部３３が形成され、この第１溝部３３は前記ロックピン３０ａが挿入可能に形成されている。このため、図６（ａ）に示すように、解除レバー３２が傾倒されることでロックピン３０ａがロック板３０ｂの第１溝部３３に嵌挿されて回転支軸１６ｂの回転が規制され、図１に示すマッサージ可能状態でオットマン１４の回転が規制される。この時、図４に示すようにスライド機構１７によりオットマン１４を上端位置（水平使用位置）まで傾動させることで使用者の脚部を極力直線状としたリラックス姿勢に移行させることができる。また、図６（ｂ）に示すように、解除レバー３２が起立されることでロックピン３０ａがロック板３０ｂの第１溝部３３から抜脱されて回転支軸１６ｂの回転規制が解除され、オットマン１４の回転が可能とされる。
【００３２】
またロック板３０ｂには、前記第１溝部３３と回転支軸１６ｂを中心として略１８０度反対側に回転支軸１６ｂ側に凸となる第２溝部３４が形成され、この第２溝部３４は前記ロックピン３０ａが挿入可能に形成されている。このため、図６（ｃ）に示すように、解除レバー３２が傾動されることでロックピン３０ａがロック板３０ｂの第２溝部に乾燥されて回転支軸１６ｂの回転が規制され、図２に示す脚載可能状態でオットマン１４の回転が規制される。この時、図５に示すようにスライド機構１７によりオットマン１４を上端位置（水平使用位置）まで傾動させることで使用者の脚部を極力直線状としたリラックス姿勢に移行させることができるようになっている。
【００３３】
ここで、第１溝部３３は、図６（ｄ）に示すように、その溝幅Ｘ１がロックピン３０ａの幅Ｙ（図６（ｃ）参照）と略同一に形成され、第２溝部３４の溝幅Ｘ２は前記溝幅Ｘ１及び幅Ｙよりも長く形成されている。このため、図６（ｃ）に示すように、第２溝部３３にロックピン３０ａを挿入させた際には、ロックピン３０ａ及び第２溝部３３間には回転方向において所定の遊びが設けられることとなる。このため、脚載可能状態において使用者の脚の太さや長さに対応して好適な位置で使用することが可能となる。
【００３４】
また、本実施形態のオットマン１４では、図１及び図２に示すようにその重心位置Ｇを足部用凹部１４ｂに設定しているため、例えば図２に示す脚載可能状態においてロック機構３０のロックを解除すると、オットマン１４自身の重みで図１に示すマッサージ可能状態近傍まで自動で回転させることができるようになっている。
【００３５】
また、本実施形態のオットマン１４では、図７（ａ）に示すように、オットマン１４を回転可能に支持する回転支軸１６ｂが脚部用凹部１４ａの底面２０よりも側壁２１ａ〜２１ｃの延出方向側（反脚載部１４ｃ側）に位置するようになっている。そしてオットマン１４は半径Ｒ１を有する仮想円Ｃ１内で回転することが可能、つまり、回転スペースとして仮想円Ｃ１の大きさだけ必要となっている。ここで、例えば、図７（ｂ）に示すように、オットマン１００を回転可能に支持する回転支軸１６ｂが脚部用凹部１００ａの底面１０１よりも側壁１０２の反延出方向側（脚載部１００ｃ側）に位置するような構成の場合には、オットマン１００は半径Ｒ２を有する仮想円Ｃ２内で回転することが可能、つまり、回転スペースとして仮想円Ｃ２の大きさだけ必要となる。この時、オットマン１４の各部１４ａ〜１４ｃとオットマン１００の各凹部１００ａ，１００ｂ及び脚載部１００ｃとが同一形状である場合には、半径Ｒ１＜半径Ｒ２、つまり本実施形態のオットマン１４における回転支軸１６ｂと各側壁２１ａ〜２１ｃの延出方向端部Ｚとの距離をオットマン１００の場合と比較して近づけることができる。このため、本実施形態のオットマン１４の回転に伴う回転スペース（仮想円Ｃ１）を極力抑えつつ、例えば脚部用凹部１４ａの側壁２１ａ，２１ｂ，２１ｃの大きさを維持することができる。また、本実施形態のオットマン１４の回転スペースに余裕がある場合には、より側壁２１ａ，２１ｂ，２１ｃを大きく形成でき、側壁２１ａ〜２１ｃ（側壁対向面２２）に設けられるエアバッグ２３の大容量化を図ることができる。
【００３６】
上記のように構成されたマッサージ機１０のオットマン１４では、図示しないエアポンプが前記制御部１８にて制御され、エアポンプからの給排気により各エアバッグ２３，２８，２９が適宜膨縮動作され、使用者の脚部及び足部をマッサージすることができる。また、本実施形態のマッサージ機１０では、オットマン１４の一面側にマッサージ手段としてのエアバッグ２３，２８，２９を有し、他面側に平面状の脚載部１４ｃを有し、オットマン１４が回転可能に構成されている。このため、使用者のその時々の好みによってオットマン１４をマッサージ器具として使用するのか、脚載部１４ｃとして使用するのか選択可能となっており、オットマン１４としての利便性の向上を図ることができている。
【００３７】
次に、本実施形態の特徴的な作用効果を記載する。
（１）オットマン１４には、一面側に使用者の脚部を挿入配置可能な脚部用凹部１４ａと、使用者の足部を足裏から支持可能な足部用凹部１４ｂとが備えられ、脚部用凹部１４ａ及び足部用凹部１４ｂの両方にエアバッグ２３，２８，２９が設けられ、他面側に使用者の脚部を載置可能な脚載部１４ｃが備えられる。そしてオットマン１４は、座部１２側に設けた支持枠１６に対して左右方向に延びる態様で設けられる回転支軸１６ｂにて回転可能に支持され、オットマン１４を回転させることで各凹部１４ａ，１４ｂを座部１２前方に露出させるマッサージ可能状態と、脚載部１４ｃを座部１２前方に露出させる脚載可能状態とに変更可能に構成される。このように、オットマン１４が回転可能に構成され、マッサージ可能状態と脚載可能状態とに変更することができるため使用者の気分によってオットマン１４を使用することが可能となり、オットマンの利便性を向上させることができる。また、各凹部１４ａ，１４ｂが露出しない、つまり各凹部１４ａ，１４ｂを収納した脚載可能状態で着座することで、凹部が１４ａ，１４ｂが障害とならず使用者が座部１２に容易に着座することが可能となり、オットマン１４の利便性を向上させることができる。また、オットマン１４には、オットマン１４をマッサージ可能状態に付勢する付勢手段として足部用凹部１４ｂに重心位置Ｇが設定されている。ここで、例えばオットマン１４が脚載可能状態にある場合にマッサージ可能状態に付勢することで、マッサージ可能状態となるまで回転させることが可能となり、この点においてもオットマン１４の利便性を向上させることが可能となる。
【００３８】
（２）オットマン１４の重心位置Ｇを回転中心からずらすことでマッサージ可能状態に付勢する付勢手段が構成される。つまり、ばね等の付勢部材を省略した簡素な構成にて付勢手段を構成することが可能となる。
【００３９】
（３）オットマン１４の重心位置が回転中心からずれた足部用凹部１４ｂに設定されて付勢手段が構成される。このため、重力方向下側に足部用凹部１４ｂが位置するマッサージ可能状態にオットマン１４の自重で動作させることが可能となる。
【００４０】
（４）オットマン１４には、その回転をマッサージ可能状態及び脚載可能状態の両方において阻止するロック機構３０が設けられるため、マッサージ可能状態及び脚載可能状態の両方においてオットマン１４の回転を阻止させることができる。
【００４１】
（５）ロック機構３０は、オットマン１４が脚載可能状態の際には、所定の遊びを有する態様でオットマン１４の回転を阻止させるように構成される。つまり、脚載可能状態において所定の遊びを有することで、使用者の脚の太さや長さに対応して好適な位置で使用することが可能となる。
【００４２】
（６）脚部用凹部１４ａにはその底面２０から延出する複数の側壁２１ａ〜２１ｃが備えられ、回転支軸１６ｂは、脚部用凹部１４ａの底面２０よりも側壁２１ａ〜２１ｃの延出方向側に位置する態様で設けられる。このような構成とすることで、例えば図７（ｂ）に示すように回転支軸１６ｂを底面１０１よりも側壁１０２の反延出方向側（脚載部１００ｃ側）に位置するように回転中心である回転支軸１６ｂが位置した場合のオットマン１００と比較して、回転支軸１６ｂと側壁２１ａ〜２１ｃの延出方向最端部との距離を近づけることができる。つまり、本構成では、オットマン１４の回転時に要する回転スペースを極力抑えつつ、側壁２１ａ〜２１ｃの面積を十分に確保することが可能となり、凹部１４ａに使用者の脚等を挿入した後に脚がずれて落ちたりすることを防ぐサポート性を向上させることができる。また、側壁２１ａ〜２１ｃにマッサージ手段としてエアバッグ２３を設ける構成とした場合に、側壁２１ａ〜２１ｃの面積を十分に確保することで大容量のエアバッグを用いてマッサージ範囲の拡大を図ることが可能となる。
【００４３】
尚、本発明の実施形態は、以下のように変更してもよい。
・上記実施形態では、特に言及していないが、例えば図８（ａ）に示すように座部１２の後部側よりも前部側ほど高くなるような構成としてもよい。このような構成とすることで、背もたれ部１３側に使用者自身の荷重をかけ、例えば背もたれ部１３内部に設けられる揉み玉によるマッサージを好適に行うことが可能となる。この時、例えば、脚載可能状態におけるオットマン１４を支持する支持枠１６が回動されてオットマン１４の上端位置（水平使用位置）となる場合には、図１に示すように支持枠１６の長手方向と脚載部１４ｃの脚載面１９の面方向とが略平行になる構成では、脚載面１９と座部１２（座面）とを平行とすることが難しい。そこで、図８（ｂ）に示すように、ロック板３０ｂの第２溝部３４の形成位置を変更することで、図８（ａ）に示すように、脚載可能状態におけるオットマン１４の上端位置（水平使用位置）において脚載部１４ｃの脚載面１９の前方側が後方側より高くでき、脚載面１９が座部１２（座面）と略平行となる好適な位置でロックさせることが可能となる。このような構成とすることで日常生活において重力方向下側となる足部（使用者の脚の先端側）を高くすることができるため、足部及び脚部の血流を良好とすることが可能となる。
【００４４】
また、図８（ａ）（ｂ）に示したロック板３０ｂを用いることで例えば図９に示すように、マッサージ可能状態におけるオットマン１４の上端位置（水平使用位置）において脚部用凹部１４ａの底面２０の前方側を後方側より低くすることができる構成となっている。このような構成とすることで使用者の足部側が低くなるため、使用者の脚部をマッサージした際に過度に血流を良くすることが抑えられる。
【００４５】
・上記実施形態では、オットマン１４の重心位置Ｇを足部用凹部１４ｂに設定してマッサージ可能状態となるように付勢手段を構成したが、これに限らず、脚載部１４ｃ側に設定して脚載可能状態となるように付勢手段を構成してもよい。
【００４６】
・上記実施形態では、重心位置Ｇを設定することでマッサージ可能状態となるように付勢する付勢手段を構成したが、これに限らない。例えば、図１０に示すように、例えば付勢ばね４０によってマッサージ可能状態及び脚載可能状態のいずれか一方に付勢する構成を採用してもよい。尚、この場合においても図示しないロック機構によりオットマン１４の回転を阻止させる構成が望ましい。
【００４７】
また、図１１に示すように、制御部１８により回転駆動するモータ５０と、このモータ５０の回転軸と同一軸線状に設けられるとともに前記回転軸と一体回転するウォーム軸５１と、このウォーム軸５１の回転を直交変換するとともに回転支軸１６ｂと一体回転可能なウォームホイール５２とで付勢手段を構成してもよい。尚、この場合、モータ５０の回転をウォーム軸５１及びウォームホイール５２にて減速させてトルクを向上させているため、回転支軸１６ｂ側からウォーム軸５１側を回転させることが困難となり、つまり回転支軸１６ｂの回転が規制されるロック機構を構成することも可能となっている。尚、制御部１８を操作可能な操作器５３にモータ５０の回転を任意の位置に変更可能な回転スイッチ５３ａを設けて使用者の好みの位置でモータ５０を停止させてオットマン１４を使用可能な構成を採用してもよい。
【００４８】
・上記実施形態では、マッサージ可能状態及び脚載可能状態においてオットマン１４の回転を阻止するロック機構３０を回転支軸１６ｂに設けたが、その他の位置にロック機構を設けてマッサージ可能状態及び脚載可能状態の少なくとも一方においてオットマン１４の回転を阻止させる構成を採用してもよい。
【００４９】
・上記実施形態では、脚載可能状態においてロック機構３０にてロックした場合でもオットマン１４を所定量だけ回動させるように遊びを設けた構成としたが、この遊びを設けない構成を採用してもよい。
【００５０】
・上記実施形態では、足部用凹部１４ｂの底面２５にエアバッグ２９を設ける構成としたが、エアバッグ２９を省略した構成を採用してもよい。
・上記実施形態では、脚部用凹部１４ａ及び足部用凹部１４ｂの両方にマッサージ手段としてのエアバッグ２３，２８を設ける構成としたが、脚部用凹部１４ａのみにマッサージ手段（エアバッグ）を設ける構成を採用してもよい。
【００５１】
・上記実施形態では、特に言及していないが、例えば背もたれ部１３に施療子にて使用者の上半身をマッサージするマッサージ機構を配設した構成を採用してもよい。
・上記実施形態では、背もたれ部１３を座部１２に対して傾動可能に設けたが、これに限らず、背もたれ部１３を傾動不能、つまり固定した構成であってもよい。また、背もたれ部１３を省略した構成であってもよい。
【符号の説明】
【００５２】
１０…マッサージ機、１１…脚部、１２…座部、１４…オットマン、１４ａ…脚部用凹部、１４ｂ…足部用凹部、１４ｃ…脚載部、１６…支持枠（支持部）、１６ａ…回転支軸、１９…脚載面、２３，２８，２９…エアバッグ（マッサージ手段）、３０…ロック機構、Ｇ…重心位置。
【図１】
2011067354.tif 000003
【図２】
2011067354.tif 000004
【図３】
2011067354.tif 000005
【図４】
2011067354.tif 000006
【図５】
2011067354.tif 000007
【図６】
2011067354.tif 000008
【図７】
2011067354.tif 000009
【図８】
2011067354.tif 000010
【図９】
2011067354.tif 000011
【図１０】
2011067354.tif 000012
【図１１】
2011067354.tif 000013